(57)【要約】      （修正有）【課題】打者の望む投球コースにボールを投げ込むことができ、遊戯者の遊戯意欲や打撃練習者の練習意欲を増大させ、利用者を増加させることができる打撃練習システムを提供する。【解決手段】打席３に立つ打者にボールを投球装置４から投げ込む打撃練習システム１において、投球コースを上下及び左右に複数段階に変更可能な投球装置４と、打席３の近傍に配置し、投球コースを選択するためのコース選択ボタンを設けた操作装置５と、投球装置４の投球コースを操作装置５のコース選択ボタンで選択された投球コースに変更する制御装置６とを有することにした。操作装置５に投球コースを選択しないフリーボタンを設けるとともに、フリーボタンが操作された場合に制御装置６が投球装置４の投球コースをランダム又は予め定めたパターンに変更することにした。【選択図】図１
0003168956.tif 000002
【実用新案登録請求の範囲】
【請求項１】
打席に立つ打者にボールを投球装置から投げ込む打撃練習システムにおいて、
投球コースを上下及び左右に変更可能な投球装置と、
投球コースを選択するためのコース選択ボタンを設けた操作装置と、
投球装置の投球コースを操作装置のコース選択ボタンで選択された投球コースに変更する制御装置と、
を有することを特徴とする打撃練習システム。
【請求項２】
前記操作装置に投球コースを選択しないフリーボタンを設けるとともに、フリーボタンが操作された場合に制御装置が投球装置の投球コースをランダム又は予め定めたパターンに変更することを特徴とする請求項１に記載の打撃練習システム。
【考案の詳細な説明】
【技術分野】
【０００１】
本考案は、打席に立つ打者にボールを投球装置から投げ込む打撃練習システムに関するものである。
【背景技術】
【０００２】
従来より、バッティングセンター等では、打者が立つ打席の前方に投球装置を配置するとともに、打席の近傍に操作装置を配置し、打者によって操作装置が操作されると、打席に立つ打者に投球装置からボールを投げ込むように構成した打撃練習システムが広く利用されている（たとえば、特許文献１参照。）。
【先行技術文献】
【特許文献】
【０００３】
【特許文献１】特開２００８−２１２１９０号公報
【考案の概要】
【考案が解決しようとする課題】
【０００４】
ところが、従来の打撃練習システムでは、投球装置から投げ込まれるボールのコースが単調なものであったために、打撃練習システムを利用して遊戯する打者にとっては、遊戯意欲が削がれ、また、打撃練習をする打者にとっては練習意欲が削がれてしまい、打撃練習システムの利用者が減少していた。
【課題を解決するための手段】
【０００５】
そこで、請求項１に係る本考案では、打席に立つ打者にボールを投球装置から投げ込む打撃練習システムにおいて、投球コースを上下及び左右に複数段階に変更可能な投球装置と、投球コースを選択するためのコース選択ボタンを設けた操作装置と、投球装置の投球コースを操作装置のコース選択ボタンで選択された投球コースに変更する制御装置とを有することにした。
【０００６】
また、請求項２に係る本考案では、前記請求項１に係る本考案において、前記操作装置に投球コースを選択しないフリーボタンを設けるとともに、フリーボタンが操作された場合に制御装置が投球装置の投球コースをランダム又は予め定めたパターンに変更することにした。
【考案の効果】
【０００７】
そして、本考案では、以下に記載する効果を奏する。
【０００８】
すなわち、本考案では、打席に立つ打者にボールを投球装置から投げ込む打撃練習システムにおいて、投球コースを上下及び左右に変更可能な投球装置と、打席の近傍に配置し、投球コースを選択するためのコース選択ボタンを設けた操作装置と、投球装置の投球コースを操作装置のコース選択ボタンで選択された投球コースに変更する制御装置とを有しているために、打者の望む投球コースにボールを投げ込むことができ、遊戯者の遊戯意欲や打撃練習者の練習意欲を増大させ、打撃練習システムの利用者を増加させることができる。
【０００９】
また、本考案では、操作装置に投球コースを選択しないフリーボタンを設けるとともに、フリーボタンが操作された場合に制御装置が投球装置の投球コースをランダム又は予め定めたパターンに変更することにしているために、より一層遊戯者の遊戯意欲や打撃練習者の練習意欲を増大させ、打撃練習システムの利用者を増加させることができる。
【図面の簡単な説明】
【００１０】
【図１】本考案に係る打撃練習システムを示す平面説明図。
【図２】操作装置を示す正面説明図。
【考案を実施するための形態】
【００１１】
以下に、本考案に係る打撃練習システムの具体的な構成について図面を参照しながら説明する。
【００１２】
図１に示すように、打撃練習システム１は、ホームベース２に打席３を隣設し、打席３の前方に投球装置４を配置するとともに、打席３の近傍に操作装置５を配置し、投球装置４と操作装置５とを制御装置６に接続して、操作装置５が操作されると投球装置４から打席３に立つ打者にボールを投げ込むように構成している。この打撃練習システム１は、バッティングセンターに設置して使用したり、野球の練習場に設置して使用することができる。
【００１３】
投球装置４は、ボールを投げるピッチングマシン７の投球口８に円筒状の発射筒９を蛇腹状の自在筒10を介して取付けて、発射筒９を上下及び左右に移動自在にするとともに、発射筒９を上下及び左右に複数段階（ここでは、３段階。）に移動させるための移動機構11を発射筒９に連動連結している。
【００１４】
なお、ピッチングマシン７は、アームの回転によってアームの先端からボールを投げるアーム型の機械でも、一対のローラーの回転によってローラーの間からボールを投げるローラー型の機械でもよく、また、圧縮した空気の圧力によってボールを投げる空圧型の機械でもよいが、空圧型の機械が最もボールのコントロールが良いために望ましい。また、投球装置４は、ピッチングマシン７の発射筒９を上下左右に移動させる場合に限られず、ピッチングマシン自体を上下左右に移動させるようにしてもよい。
【００１５】
操作装置５は、図２に示すように、上部に操作パネル12を設け、操作パネル12に打者のイラスト13を描画するとともに、打者のイラスト13の横に投球コースを選択するためのコース選択ボタン14a〜14iを投球コースが視覚的に容易に認識できるように配置し、コース選択ボタン14a〜14iの上に投球コースを選択しないフリーボタン15を配置している。
【００１６】
なお、操作装置５は、打席の近傍に配置して打者が自ら操作できるようにしてもよく、打席から離れた場所に配置して指導者等が打者にわからないように操作できるようにしてもよく、操作者と打者とがあたかも対戦するかのような使い方もできる。
【００１７】
制御装置６は、操作装置５の操作パネル12に設けたいずれかのコース選択ボタン14a〜14iが操作された場合には、操作されたコース選択ボタン14a〜14iが示す投球コースになるように投球装置４の移動機構11を駆動制御し、その後、ピッチングマシン７からボールを発射させることで、選択された投球コースにボールを投げ込むようにしている。
【００１８】
また、制御装置６は、操作装置５のフリーボタン15が操作された場合には、乱数を発生させ、発生した乱数に応じた投球コースになるように投球装置４の移動機構11を駆動制御し、その後、ピッチングマシン７からボールを発射させることで、ランダムな投球コースにボールを投げ込むようにしている。
【００１９】
なお、制御装置６は、操作装置５のフリーボタン15が操作された場合に、ランダムにボールを投げ込むのではなく、予め記憶しておいた順番で各投球コースにボールを投げ込むようにしてもよい。また、制御装置６は、操作装置５のコース選択ボタン14a〜14iが操作された順番を予め記憶しておき、その順番で各投球コースにボールを投げ込むようにしてもよい。
【００２０】
以上に説明したように、上記打撃練習システム１は、投球コースを上下及び左右に変更可能な投球装置４と、投球コースを選択するためのコース選択ボタン14a〜14iを設けた操作装置５と、投球装置４の投球コースを操作装置５のコース選択ボタン14a〜14iで選択された投球コースに変更する制御装置６とを有する構成となっている。
【００２１】
そのため、上記構成の打撃練習システム１では、希望する投球コースをコース選択ボタン14a〜14iで選択することで打者の望む投球コースにボールを投げ込むことができ、遊戯者の遊戯意欲や打撃練習者の練習意欲を増大させ、打撃練習システム１の利用者を増加させることができる。
【００２２】
また、上記打撃練習システム１は、操作装置５に投球コースを選択しないフリーボタン15を設けるとともに、フリーボタン15が操作された場合に制御装置６が投球装置４の投球コースをランダム又は予め定めたパターンに変更するように構成している。
【００２３】
そのため、上記構成の打撃練習システム１では、フリーボタン15を選択することで様々な投球コースのボールが投げ込まれるようになり、より一層遊戯者の遊戯意欲や打撃練習者の練習意欲を増大させ、打撃練習システム１の利用者を増加させることができる。
【００２４】
なお、上記打撃練習システム１では、投球コースだけでなく、球速や球種などを変更できるようにしてもよい。また、上記打撃練習システム１では、投球コースを上下及び左右にそれぞれ３段階に変更できるようにしているが、これに限られず、投球コースを上下及び左右に段階的に或いは連続的に変更できるようにすることもできる。
【符号の説明】
【００２５】
１  打撃練習システム                  ２  ホームベース
３  打席                              ４  投球装置
５  操作装置                          ６  制御装置
７  ピッチングマシン                  ８  投球口
９  発射筒                            10  自在筒
11  移動機構                          12  操作パネル
13  イラスト                          14a〜14i  コース選択ボタン
15  フリーボタン
【図１】
0003168956.tif 000003
【図２】
0003168956.tif 000004